(57)【要約】【課題】発音源を前方に寄せすぎることなく、蝶番機構やスピーカシステムの形状や構造を制約することなく、組み立て作業の煩雑化を防止しながら、両者を限られた空間内に高密度で実装可能な情報機器のスピーカシステムを提供する。【解決手段】本発明のスピーカシステム(30)が設置される情報機器は、データや操作の指令を入力する操作部(10)と、入力され、受信され、あるいは処理されたデータを表示する表示部(20)と、これら各部に保持される第１, 第２の保持部(41,42) とこれら保持部の先端部部分を回転自在に結合する心棒(43)とを備えることにより操作部(10)と表示部(20)とを開閉自在に保持する蝶番機構(40)とを備えている。そして、このスピーカシステムのバッフル板(32)は、蝶番機構(40)の第１または第２の保持部(41,42) の一部を形成するように構成されている。【選択図】図１
2007259006.tif 000002
【特許請求の範囲】
【請求項１】
データや操作の指令を入力する操作部と、入力され、受信されあるいは処理されたデータを表示する表示部と、前記操作部と表示部のそれぞれに保持される第１，第２の保持部と、これら第１，第２の保持部の先端部分を回転自在に結合する心棒とを備え前記操作部と表示部とを開閉自在に連結する蝶番機構とを備えた情報機器に設置される情報機器のスピーカシステムであって、
前記スピーカシステムのバッフル板は、前記蝶番機構の前記第１または第２の保持部の一部を形成したことを特徴とする情報機器のスピーカシステム。
【請求項２】
請求項１において、
前記バッフル板は、
前記スピーカ本体の前端部の外縁部との間に空隙を形成しながらこの前端部を収容する開口と、
この開口の背後に陥没せしめられ前記スピーカ本体の後端部分を固定する帯状の陥没部分と、
前記スピーカ本体の前端部の外縁部と前記開口の内周縁との間の空隙を塞ぐように形成された半硬化性の接着剤または緩衝材から成る環状の封止部と
を更に備えたことを特徴とする情報機器のスピーカシステム。
【請求項３】
請求項１または２のいずれかにおいて、
前記バッフル板は、金属ダイキャストによって前記蝶番機構の第１または第２の保持部と一体に形成されることを特徴とする情報機器のスピーカシステム。
【請求項４】
請求項１乃至３のいずれかにおいて、
前記バッフル板に背後から結合されて前記スピーカ本体を収容するほぼ密閉されたスピーカボックスを形成する開放端面を有する箱体を更に備えたことを特徴とする情報機器のスピーカシステム。
【請求項５】
請求項１乃至３のいずれかにおいて、
前記バッフル板に背後から結合されて前記スピーカ本体を収容するほぼ密閉されたスピーカボックスを形成するために前記操作部または表示部の筐体の底面から前記バッフル板の背面に向けて突出された隔壁とを更に備えたことを特徴とする情報機器のスピーカシステム。
【請求項６】
請求項１乃至５のいずれかにおいて、
前記バッフル板に形成されたポートと、前記スピーカ本体の近傍から前記ポートまで前記バッフル板の背後を延長されるダクトとを有するバスレフレクタを更に備えたことを特徴とする情報機器のスピーカシステム。
【発明の詳細な説明】
【技術分野】
【０００１】
本発明は、ノートパソコンなどの情報機器に設置されるスピーカシステムに関するものであり、特に、操作部と表示部とを回転自在に連結する蝶番の一部をバッフル板と兼用するスピーカシステムに関するものである。
【背景技術】
【０００２】
従来、ノートパソコンなどで使用されるスピーカシステムは、操作部に空洞部分を形成し、この空洞部分の内部にスピーカ・ボックスを嵌め込むことなどによって構成されている。そのような空洞部分は、操作部と表示部とを回転自在に連結する蝶番の近くに形成されるのが一般的である（特許文献１）。この構造では、操作部内の限られた空間に蝶番とスピーカとが錯綜して取付けられるため、それぞれの形状や構造が制限されたり、組み立て作業が煩雑になったりするなどの問題がある。このような問題を回避するために、スピーカシステムを、蝶番の取付け位置から離れた操作部の前方に設置する構成も採用されている（特許文献２）。
【０００３】
また、スピーカシステムでは、スピーカ本体で発生した振動がバッフル板に伝達されると、いわゆる箱鳴りによって音質が劣化する。この振動のバッフル板への伝達を阻止するために、バッフル板の素材として高比重金属材料を使用することにより振動しにくくするという構成が提案されている（特許文献３）。
【特許文献１】特開２０００−２２８７９４号公報
【特許文献２】特開平１１−５３０５６号公報
【特許文献３】特許第３１５７７７７号
【発明の開示】
【発明が解決しようとする課題】
【０００４】
上記特許文献２に開示されたように、スピーカを蝶番から離れた操作部の前方に取付ける構成では、発音源が操作者に近すぎて違和感を生じるという問題がある。また、箱鳴りを防止するために、バッフル板の素材として特殊な高比重金属材料を使用すると、製造コストがかさむだけでなく、重量も増えてで携帯に不便になるという問題もある。
【０００５】
従って、本発明の一つの目的は、発音源を前方に寄せすぎることなく、また、蝶番やスピーカの構造や形状に制限を及ぼすこともなく、さらに組み立て作業を煩雑にすることもなく、両者を限られた空間内に高密度に実装できる情報機器のスピーカシステムを提供することにある。本発明の他の目的は、バッフル板として高価で重い高比重金属材料を使用することなく、箱鳴りを有効に抑圧できるスピーカシステムを提供することにある。
【課題を解決するための手段】
【０００６】
上記従来技術の課題を解決する本発明のスピーカシステムが設置される情報機器は、データや操作の指令を入力する操作部と、入力され、受信されあるいは処理されたデータを表示する表示部と、操作部と表示部のそれぞれに保持される第１，第２の保持部及びこれら第１，第２の保持部の先端部分を回転自在に結合する心棒を備え前記操作部と表示部とを開閉自在に連結する蝶番機構とを備えている。そして、このスピーカシステムのバッフル板は、蝶番機構の第１または第２の保持部の一部を形成している。
【発明の効果】
【０００７】
本発明のスピーカシステムは、そのバッフル板が、蝶番機構の第１または第２の保持部の一部を形成する構成であるから、蝶番機構との実装上の錯綜を避けるために発音源を前方に寄せすぎることがなくなる。また、蝶番やスピーカの構造や形状に制限を加えることもなく、しかも組み立て作業を煩雑にすることもなく、両者を限られた空間内に高密度に実装できるという効果が奏される。
【発明を実施するための最良の形態】
【０００８】
本発明の一つの好適な実施の形態によれば、バッフル板がスピーカ本体の前端部の外縁部との間に空隙を形成しながらこの前端部を収容する開口と、この開口の背後に陥没せしめられスピーカ本体の後端部分を固定する帯状の陥没部分と、スピーカ本体の前端部の周縁部と前記開口の内周縁との間の空隙を塞ぐように形成された半硬化性の接着剤や緩衝材から成る環状の封止部とを更に備えることにより、バッフル板として高価で重い高比重金属材料を使用することなく、箱鳴りを有効に抑圧するように構成されている。
【０００９】
本発明の他の好適な実施の形態によれば、バッフル板が金属ダイキャストによって蝶番機構の第１または第２の保持部と一体に形成することにより、製造コストと組み立ての労力を一層軽減するように構成されている。
【００１０】
本発明の他の好適な実施の形態によれば、バッフル板に背後から結合されてスピーカ本体を収容するほぼ密閉されたスピーカボックスを形成する開放端面を有する箱体を更に備えることにより、電気／音響変換特性の向上を図っている。
【００１１】
本発明の更に他の好適な実施の形態によれば、バッフル板に背後から結合されてスピーカ本体を収容するほぼ密閉されたスピーカボックスを形成するために、操作部または表示部の筐体の底面からバッフル板の背面に向けて突出された隔壁とを更に備えることにより、バッフル板の小型化と組み立ての労力の一層の軽減を図りながら、電気／音響変換特性の向上を図っている。
【００１２】
本発明の更に他の好適な実施の形態によれば、バッフル板に形成されたポートと、スピーカ本体の近傍からこのポートまでバッフル板の背後を延長されるダクトとを有するバスレフレクタを更に備えることにより、低音域の電気／音響変換特性の一層の改善を図っている。
【実施例】
【００１３】
図１は、本発明の一実施例に係わる情報機器のスピーカシステムの構成を、これが設置された情報機器と共に示す図である。図１中、図（Ａ）はこのスピーカシステムが設置された情報機器の平面図、図（Ｂ）は図（Ａ）の右側面図である。
【００１４】
この情報機器は、操作部１０と、表示部２０と、スピーカシステム３０と、操作部１０と表示部２０とを開閉自在に連結する蝶番機構４０とを備えている。操作部１０には、処理対象のデータや処理の内容を指令するコマンドなどを入力するキーボードが形成されている。表示部２０には、操作部１０から入力され、図示しない通信回線を通して受信され、あるいは処理されたデータを表示する液晶パネル２１を備えている。
【００１５】
スピーカシステム３０は、操作部１０の蝶番機構４０の形成箇所に形成されている。この蝶番機構４０は、操作部１０に保持される第１の保持部４１と、表示部２０に保持される第２の保持部４２と、これら第１，第２の保持部を回転自在に保持する心棒４３とを備えることにより、操作部１０と表示部２０とを開閉自在に連結している。
【００１６】
蝶番機構４０を構成する第１の保持部４１の先端部には、途中でくの字形状に折れ曲がる板状のアーム４１ａが形成されており、このアームの先端は丸められて円筒を形成している。第２の保持部４２は、表示部１０の左右の端部の内部に埋め込み固定された金属板から構成されている。この金属板は、表示部１０の液晶パネルを左右から挟んで保持する機能も兼ね備えている。
【００１７】
これらの金属板の先端部には、円柱形状の金属製の心棒４３が固定されている。この心棒４３の外周面に、アーム４１ａの先端に形成された円筒体の内周面が嵌合されている。この結果、第１，第２の保持体４１，４２が、心棒４３のまわりに回転自在に結合された蝶番機構４０が形成されている。このような構造の蝶番機構４０は、操作部１０と表示部２０の左右に、同一の構造のものが対として形成されている。
【００１８】
図２は、蝶番機構４０の第１の保持部４１の一部を兼ねたスピーカシステム３０の構成を詳細に示す図である。（Ａ）は平面図、（Ｂ）と（Ｃ）は、平面図（Ａ）のスピーカシステムを、スピーカ本体３１の中心を通りそれぞれ（Ａ）中を縦方向および横方向に延長される垂直断面で切断して得られる断面図である。ただし、断面図（Ｂ）には、この断面図に現れない第２の保持部４２との位置関係が一点鎖線で付加的に示されている。
【００１９】
図２のスピーカシステム３０は、図１中の右側の蝶番機構４０を構成する第１の保持部４１の一部を兼ねている。このスピーカシステム３０は、スピーカ本体３１、バッフル板３２、箱体３３、スピーカボックス３４などを備えている。
【００２０】
スピーカ本体３１は、汎用の駆動線輪型のスピーカで構成されている。バッフル板３２は、上面の四つの端部が下方に向けて直角に折り曲げられることにより、下方に開放端面が形成された断面コの字形状を呈している。バッフル板３２の中央部には円形の開口３２ａが形成され、この開口３２ａの背後に上面との連結を保ちながら上面から陥没せしめられた帯状の陥没部分３２ｂが形成されている。この帯状の陥没部分３２ｂに、スピーカ本体３１の磁気回路を内蔵する後端部が接着によって固定されている。
【００２１】
後方に開放端面を有するバッフル板３２の背面に、前方に開放端面を有する箱体３３が結合されることにより、スピーカ本体３１を収容するほぼ密閉構造のスピーカボックス３４が形成されている。スピーカ本体３１の前端部の外縁部と、開口３２ａの内縁部との間に細い円環形状の空隙が形成される。この空隙を塞ぐために、半硬化性の樹脂やポリウレタンなどの緩衝材で構成されるる封止部３５が形成される。
【００２２】
バッフル板３２と第１の保持部４１の先端部に形成されるアーム４１ａとは、アルミ合金などの金属のダイキャスト（射出成形）により一体に形成される。バッフル板３２の四隅には、矩形平板状の突起３２ｃがバッフル板と一体に形成され、各矩形平板状の突起には開口が形成されている。各突起の開口内に内周面との間にすき間を残しながらネジが挿入される。ネジの外周面に形成されたネジ溝が、操作部１０の筐体１１の底面から上方に向けて突出される円筒形状のポスト（図示せず）の内周面に形成されたネジ溝に螺合される。これによって、バッフル板３２と一体に形成されたアーム４１ａが操作部１０を収容する筐体１１の底面に対して強固に固定される。
【００２３】
バッフル板３２にはほぼ矩形状の開口３７が形成され、この開口３７とスピーカ本体３１の近傍との間に矩形断面形状のダクト３６がバッフル板３２の裏側に形成される。スピーカ本体３１の側面を形成するコーンからスピーカボックス３４の内部に放射された音のうち、低音域の成分の位相がダクト３６中を通過中に反転するように、ダクト３６の全長が調整されている。ダクトの末端のポート３７からスピーカボックス３４の前方に放射された低音成分の音は、スピーカ本体３１から直接スピーカボックス３４の前方に放射された低音成分と同位相で合成され、振幅を増大させる。このようにして、ダクトとポート３とで、バスレフレクタ（バスレフ）の機能が実現される。
【００２４】
このように、スピーカシステムのバッフル板３２が、蝶番機構４０の第１の保持部４１の一部を兼ねる構成であるから、蝶番機構との実装上の錯綜を避けるためにスピーカシステムを前方に寄せることに伴う問題が解消される。また、蝶番やスピーカの構造や形状に制限を加えることもなく、スピーカシステムと蝶番機構とを限られた空間内に高密度で実装できる。特に、第１の保持部とバッフル板とを一体に形成することにより、製造コストの低廉化と共に、組み立て作業も簡単化も実現される。すなわち、アーム４１ａの先端に形成された円筒体を第２の保持部４２に固定された心棒４３に嵌合させたのち、バッフル板の４隅に形成された矩形平板状の突起３２ｃを筐体１１から直立する４本のポストに螺子止めするだけでよい。
【００２５】
また、スピーカ本体３１の前端部とバッフル板３２との間に空隙が形成され、この空隙が半硬化性の樹脂などを素材とする十分に柔らかな封止部で密封される構成であるから、スピーカとバッフル板との間が音響的にも絶縁され、箱鳴りが有効に防止される。
【００２６】
図３は、図１に示した操作部１０と表示部２０とを開閉自在に連結する蝶番機構４０の一部を兼ねたスピーカシステム３０の他の実施例の構成を詳細に示す図である。（Ａ）は平面図、（Ｂ）は平面図（Ａ）中のｂ−ｂ’断面図である。ただし、断面図（Ｂ）には、この断面図に現れない第２の保持部４２との位置関係が一点鎖線で付加的に示されている。図３中、図１，２と同一の参照符合を付した構成要素は、図１，２に関して既に説明したものは同一の構成要素であり、これらについは重複する説明を省略する。
【００２７】
図３のスピーカシステムが、図２のものと異なる点は、ほぼ密閉状態のスピーカボックス３４が、バッフル板３２と、操作部１０の筐体１１の底面と、この底面からバッフル板３２に向けて突出する円筒形状の隔壁１２とで形成される点である。スピーカボックス３４の深さが図２の場合に比べて増大したため、同じ容積を確保する上で、バッフル板３２の横幅が短縮され、スピーカシステムの小型化が図られている。
【００２８】
以上、スピーカシステム３０を操作部１０側に設ける構成を例示した、しかしながら、バッフル板を第２の保持部と兼用させながら、このスピーカシステム３０を表示部２０の側に設置する構成とすることもできる。
【図面の簡単な説明】
【００２９】
【図１】本発明の一実施例のスピーカシステムの構成をこれが設置される情報機器と共に示す図であり、（Ａ）はこのスピーカシステムを含む情報機器の平面図、（Ｂ）は（Ａ）の右側面図である。
【図２】図１中の蝶番機構４０の一部を兼ねたスピーカシステム３０の構成を詳細に示す図であり、（Ａ）は平面図、（Ｂ）と（Ｃ）は、（Ａ）のスピーカシステムをスピーカ本体３１の中心を通りそれぞれ（Ａ）中を縦方向および横方向に延長される垂直断面で切断して得られる断面図である。
【図３】図１に示した蝶番機構４０の一部を兼ねたスピーカシステム３０の他の実施例の構成を詳細に示す図である。（Ａ）は平面図、（Ｂ）は（Ａ）中のｂ−ｂ’断面図である。
【符号の説明】
【００３０】
10        操作部
11        筐体
12        筐体の底面からバッフル板に向けて突出される隔壁
20        表示部
21        液晶パネル
30        スピーカシステム
31        スピーカ本体
32        バッフル板
32a       開口
32b       陥没部
33        箱体
34        スピーカボックス
35        封止部
36        ダクト
37        ポート
40        蝶番機構
41        第１の保持部
41a       アーム
42        第２の保持部
43        心棒
【図１】
2007259006.tif 000003
【図２】
2007259006.tif 000004
【図３】
2007259006.tif 000005